【事件の表示】
　　特許第２７４８４３１号「ファクシミリ装置」の特許に対する特許異議の申立てについて、次のとおり決定する。
【結　論】
　訂正を認める。
　特許第２７４８４３１号の特許を維持する。
【理　由】
１．手続きの経緯
　特許２７４８４３１号の請求項１に係る発明は、昭和６３年９月１４日に特許出願され、平成１０年２月２０日にその特許の設定登録がなされ、その後、井上みち子より特許異議の申立てがなされ、取消理由通知がなされ、その指定期間内である平成１１年５月１４日に訂正請求がされ、訂正拒絶理由が通知され、訂正拒絶理由に対して手続き補正書（後日取下げ）が提出された後、再度訂正拒絶理由が通知され、再度の訂正拒絶理由に対して手続き補正書が提出されものである。
　
２．訂正の適否についての判断
ア．訂正請求に対する補正の適否について
  特許権者は、訂正明細書の特許請求の範囲請求項１の「該画像メモリに蓄積された画像データを所定の符号化形式で符号化して圧縮する符号化手段」を「該画像メモリに蓄積された画像データを所定の符号化形式で符号化して圧縮し、かつ送信画像データを相手局の受信能力に応じて符号化圧縮する符号化手段」に補正し、訂正明細書の特許請求の範囲請求項１の「前記読取り部による原稿の読取り途中において前記第１の検出手段で前記蓄積メモリ内のデータ蓄積量が第１の設定量に達したことが検出されると前記読取り部による原稿読取り動作を停止させるとともに前記蓄積メモリから蓄積データを読み出して送信を開始し、該送信により前記第２の検出手段で前記蓄積メモリ内のデータ残量が第２の設定量に達したことが検出されると前記読取り部による原稿読取り動作を再開させるとともに、該再開された前記読取り部により読取られた原稿の画像データを前記蓄積メモリに蓄積することなく前記画像メモリから読み出して前記蓄積メモリから読み出された蓄積データに続けて送信する制御手段」を「前記読取り部による原稿の読取り途中において前記第１の検出手段で前記蓄積メモリ内のデータ蓄積量が第１の設定値に達したことが検出されると、前記読取り部による原稿読取り動作を停止させ、圧縮前の画像データを保存するとともに前記蓄積メモリに蓄積された画像データを読み出し該画像データを前記符号化手段で相手局の受信能力に応じて符号化圧縮して該画像データの送信を開始し、該送信により前記第２の検出手段で前記蓄積メモリのデータ残量が第２の設定値に達したことが検出されると、保存してある前記圧縮前の画像データを前記符号化手段で相手局の受信能力に応じて符号化圧縮して該画像データを送信し、さらに競取り部による原稿競取り動作を再開させるとともに、該再開された前記読取り部により読取られた原稿の画像データを前記画像メモリから読み出して、該画像データを前記蓄積メモリに蓄積することなく、該画像データを前記符号化手段で相手局の受信能力に応じて符号化圧縮して前記蓄積メモリから読み出された画像データの送信に続けて送信する制御手段」に補正するものである。
　当該訂正請求に対する補正は、訂正請求書の要旨を変更するものではなく、平成６年改正法附則第６条第１項の規定によりなお従前の例によるとされる、平成１１年改正前の特許法第１２０条の４第３項において準用する平成６年改正法による改正前の特許法第１３１条第２項の規定に適合する。
イ．訂正の内容
　特許権者の請求する訂正は、特許請求の範囲請求項１において
　(i)読取り部によって読取られた原稿に対応する画像データを一時的に蓄積する画像メモリを設けること
　(ii)蓄積メモリから読み出された画像データに続けて送信する画像データは、画像メモリから読み出された画像データであること
　(iii)蓄積メモリから読み出された画像データおよび画像メモリから読み出された画像データは、相手局の受信能力に応じて符号化圧縮して送信されること
　(iv)読取り部による原稿読取り動作を停止させた後、圧縮前の画像データを保存するとともに前記蓄積メモリに蓄積された画像データを読み出し該画像データを前記符号化手段で相手局の受信能力に応じて符号化圧縮して該画像データの送信を開始し、該送信により前記第２の検出手段で前記蓄積メモリのデータ残量が第２の設定値に達したことが検出されると、保存してある前記圧縮前の画像データを前記符号化手段で相手局の受信能力に応じて符号化圧縮して該画像データを送信すること
　を限定し、請求項１を以下のようにするものである。
「読取り部によって読取られた原稿に対応する画像データを蓄積メモリに−旦蓄積してから送信するファクシミリ装置において、
　前記読取り部によって読取られた原稿に対応する画像データを一時的に蓄積する画像メモリと、
　前記蓄積メモリ内のデータ蓄積量が第１の設定値に達したことを検出する第１の検出手段と、
　前記蓄積メモリ内のデータ残量が第２の設定値に達したことを検出する第２の検出手段と、
　該画像メモリに蓄積された画像データを所定の符号化形式で符号化して圧縮し、かつ送信画像データを相手局の受信能力に応じて符号化圧縮する符号化手段と、
　該符号化手段により圧縮された画像データを蓄積する蓄積メモリと、
　前記読取り部による原稿の読取り途中において前記第１の検出手段で前記蓄積メモリ内のデータ蓄積量が第１の設定値に達したことが検出されると、前記読取り部による原稿読取り動作を停止させ、圧縮前の画像データを保存するとともに前記蓄積メモリに蓄積された画像データを読み出し該画像データを前記符号化手段で相手局の受信能力に応じて符号化圧縮して該画像データの送信を開始し、該送信により前記第２の検出手段で前記蓄積メモリのデータ残量が第２の設定値に達したことが検出されると、保存してある前記圧縮前の画像データを前記符号化手段で相手局の受信能力に応じて符号化圧縮して該画像データを送信し、さらに競取り部による原稿競取り動作を再開させるとともに、該再開された前記読取り部により読取られた原稿の画像データを前記画像メモリから読み出して、該画像データを前記蓄積メモリに蓄積することなく、該画像データを前記符号化手段で相手局の受信能力に応じて符号化圧縮して前記蓄積メモリから読み出された画像データの送信に続けて送信する制御手段と
　を具備することを特徴とするファクシミリ装置。」
ウ．訂正の目的の適否、新規事項の有無及び拡張・変更の存否
  上記イ(i)は、願書に添付した明細書（以下、「特許明細書」という。）８頁６行ないし８行（公報５欄１３行ないし１５行）に、上記イ(ii)は、特許明細書１３頁９行ないし１２行（公報７欄２行ないし４行）に、上記イ(iii)は、特許明細書１１頁４行ないし８行（公報５欄４７行ないし５０行）に、上記イ(iv)は、特許明細書１１頁４行ないし８行（公報５欄４７行ないし５０行）、同１１頁１４行ないし１２頁５行（公報６欄２２行ないし３１行）、同１２頁２０行ないし１３頁８行（公報６欄４４行ないし７欄１行）に記載されている。
　そうすると、上記訂正は、特許請求の範囲の減縮に該当し、新規事項の追加に該当せず、また、実質的に特許請求の範囲を拡張又は変更するものではない。
エ．独立特許要件の判断
（引用刊行物）
　当審が通知した取消理由並びに訂正拒絶理由で引用した刊行物１（特開昭６３−１５５８４６号公報）の２頁左下欄１行ないし１３行、３頁左下欄２行ないし２０行、第１図及び第３図には、記憶手段に記憶されたデータ量が所定量以上になると、原稿の読取り動作を停止するとともに前記記憶手段に記憶されたデータを送信させ、前記記憶手段のデータを送信すると原稿の読取り動作を再開して前記記憶手段を介さずに直接送信するデータ通信装置が記載されている。
　また、当審が通知した訂正拒絶理由で引用した刊行物２（特開昭６２−２８７７７０号公報）には、画信号読取部１と符号化復号化部４との間に画信号を一時蓄積するメモリ部２を設けることが記載されている。
（対比・判断）
　訂正明細書の請求項１に係る発明（以下、「本件発明」という。）と上記刊行物１、上記刊行物２に記載の発明とを対比する。
　刊行物１、刊行物２に記載のいずれの発明にも、本件発明を特定する事項である、「前記読取り部による原稿の読取り途中において前記第１の検出手段で前記蓄積メモリ内のデータ蓄積量が第１の設定値に達したことが検出されると、前記読取り部による原稿読取り動作を停止させ、圧縮前の画像データを保存するとともに前記蓄積メモリに蓄積された画像データを読み出し該画像データを前記符号化手段で相手局の受信能力に応じて符号化圧縮して該画像データの送信を開始し、該送信により前記第２の検出手段で前記蓄積メモリのデータ残量が第２の設定値に達したことが検出されると、保存してある前記圧縮前の画像データを前記符号化手段で相手局の受信能力に応じて符号化圧縮して該画像データを送信し、さらに競取り部による原稿競取り動作を再開させるとともに、該再開された前記読取り部により読取られた原稿の画像データを前記画像メモリから読み出して、該画像データを前記蓄積メモリに蓄積することなく、該画像データを前記符号化手段で相手局の受信能力に応じて符号化圧縮して前記蓄積メモリから読み出された画像データの送信に続けて送信する制御手段」が記載されておらず、また、示唆する記載もない。
　そして、上記刊行物１に記載の発明と上記刊行物２に記載の発明とをいかに組み合わせたとしても上記制御手段の構成は得られない。
　本件発明は、当該手段により作業効率を向上させることができるとともに、送信時間を短縮させることができるという明細書記載の顕著な効果を奏するものであり、本件発明が上記刊行物１、上記刊行物２に記載された発明に基いて容易に発明をすることができたものとはいえない。、
　したがって、本件発明は特許出願の際独立して特許を受けることができるものである。
オ．むすび
　以上のとおりであるから、上記訂正は平成６年改正法附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３．特許異議の申立てについての判断
ア．申立ての理由の概要
　申立人井上みち子は、請求項１に係る発明は、甲第１号証（特開昭６３−１５５８４６号公報）をもとに容易に発明をすることができたものであり、特許法第２９条第２項の規定により、特許を受けることができないものであるから、特許を取り消すべきと主張している。
イ．判断
　申立人の提出した甲第１号証は、上記刊行物１であり、本件発明は、上記２．エで示したように、甲第１号証に記載された発明から容易に発明をすることができたものとすることはできない。
ウ．むすび
　以上のとおりであるから、特許異議申立ての理由及び証拠によっては、本件発明についての特許を取り消すことができない。
　また、他に本件発明に係る特許を取り消すべき理由を発見しない。
　したがって、本件発明についての特許は拒絶の査定をしなければならない特許出願に対してされたものと認めない。
　よって、平成６年改正法附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年３月３０日（２０００．３．３０）
【訂正の要旨】
訂正の要旨
　１）特許請求の範囲第１項を
「読取り部によって読取られた原稿に対応する画像データを蓄積メモリに一旦蓄積してから送信するファクシミリ装置において、
　前記読取り部によって読取られた原稿に対応する画像データを一時的に蓄積する画像メモリと、
　前記蓄積メモリ内のデータ蓄積量が第１の設定値に達したことを検出する第１の検出手段と、
　前記蓄積メモリ内のデータ残量が第２の設定値に達したことを検出する第２の検出手段と、
　該画像メモリに蓄積された画像データを所定の符号化形式で符号化して圧縮し、かつ送信画像データを相手局の受信能力に応じて符号化圧縮する符号化手段と、
　該符号化手段により圧縮された画像データを蓄積する蓄積メモリと、
　前記読取り部による原稿の読取り途中において前記第１の検出手段で前記蓄積メモリ内のデータ蓄積量が第１の設定値に達したことが検出されると、前記読取り部による原稿読取り動作を停止させ、圧縮前の画像データを保存するとともに前記蓄積メモリに蓄積された画像データを読み出し該画像データを前記符号化手段で相手局の受信能力に応じて符号化圧縮して該画像データの送信を開始し、該送信により前記第２の検出手段で前記蓄積メモリのデータ残量が第２の設定値に達したことが検出されると、保存してある前記圧縮前の画像データを前記符号化手段で相手局の受信能力に応じて符号化圧縮して該画像データを送信し、さらに読取り部による原稿読取り動作を再開させるとともに、該再開された前記読取り部により読取られた原稿の画像データを前記画像メモリから読み出して、該画像データを前記蓄積メモリに蓄積することなく、該画像データを前記符号化手段で相手局の受信能力に応じて符号化圧縮して前記蓄積メモリから読み出された画像データの送信に続けて送信する制御手段と
　を具備することを特徴とするファクシミリ装置。」
　と補正する。
（５４）【発明の名称】
ファクシミリ装置
（５７）【特許請求の範囲】
　読取り部によって読取られた原稿に対応する画像データを蓄積メモリに一旦蓄積してから送信するファクシミリ装置において、
　前記読取り部によって読取られた原稿に対応する画像データを一時的に蓄積する画像メモリと、
　前記蓄積メモリ内のデータ蓄積量が第１の設定値に達したことを検出する第１の検出手段と、
　前記蓄積メモリ内のデータ残量が第２の設定値に達したことを検出する第２の検出手段と、
　該画像メモリに蓄積された画像データを所定の符号化形式で符号化して圧縮し、かつ送信画像データを相手局の受信能力に応じて符号化圧縮する符号化手段と、
　該符号化手段により圧縮された画像データを蓄積する蓄積メモリと、
　前記読取り部による原稿の読取り途中において前記第１の検出手段で前記蓄積メモリ内のデータ蓄積量が第１の設定値に達したことが検出されると、前記読取り部による原稿読取り動作を停止させ、圧縮前の画像データを保存するとともに前記蓄積メモリに蓄積された画像データを読み出し該画像データを前記符号化手段で相手局の受信能力に応じて符号化圧縮して該画像データの送信を開始し、該送信により前記第２の検出手段で前記蓄積メモリのデータ残量が第２の設定値に達したことが検出されると、保存してある前記圧縮前の画像データを前記符号化手段で相手局の受信能力に応じて符号化圧縮して該画像データを送信し、さらに読取り部による原稿読取り動作を再開させるとともに、該再開された前記読取り部により読取られた原稿の画像データを前記画像メモリから読み出して、該画像データを前記蓄積メモリに蓄積することなく、該画像データを前記符号化手段で相手局の受信能力に応じて符号化圧縮して前記蓄積メモリから読み出された画像データの送信に続けて送信する制御手段と
　を具備することを特徴とするファクシミリ装置。
【発明の詳細な説明】
〔産業上の利用分野〕
　本発明は、原稿に対応する画情報をメモリに一旦蓄積した後送信するファクシミリ装置に関する。
〔従来の技術〕
　従来のファクシミリ装置には、送信先へ原稿に対応する画情報を送信する際に、オペレータが原稿を早く持ち帰るためや、あるいは読取り装置の読取り速度に影響されずに効率よく送信するため等の目的で、まず、読取られた原稿に対応する画情報を圧縮し、該圧縮データをメモリに一旦蓄積した後送信するようにしたものがある。
　このようなファクシミリ装置では、複数枚の原稿に対応する圧縮データを全てメモリに蓄積する前に当該メモリがフルになった場合には、
　▲１▼送信を一切行わない。
　▲２▼メモリに蓄積された圧縮データに対応するページのみ送信する。
　▲３▼メモリに蓄積された圧縮データに対応するページ分を先ず送信し、回線を一旦切った後、メモリヘの圧縮データの蓄積を再開して再び送信する。
　の上記▲１▼〜▲３▼のうちいずれかの方法を採用している。
〔発明が解決しようとする課題〕
　ところで上記従来のファクシミリ装置では、メモリがフルになった場合、上述した▲１▼〜▲３▼のうちいずれかの方法を採用しているが、
　上記▲１▼の方法にあっては、メモリに圧縮データを蓄積しないように設定を変更したうえで、全ての原稿をセットし直し、再び送信の操作を行わなければならない。
　また上記▲２▼の方法にあっては、メモリに蓄積できた圧縮データに対応するページ分を送信した後、残っている原稿をセットし直し、再び送信の操作を行わなければならない。
　さらに上記▲３▼の方法にあっては、全ての原稿に対応する圧縮データを一回の操作で送信できるが、回線が一旦切断されるため送信が何回かに分割されて送信され、送信に時間がかかってしまう。
　このように上記従来のファクシミリ装置では、原稿送信に手間がかかり、作業効率が極めて悪くなることがあるとともに、送信に時間がかかってしまうという欠点がある。
　そこで、本発明は上記欠点を解消し、作業効率を向上させることができるとともに、送信時間を短縮することのできるファクシミリ装置を提供することを目的とする。
〔課題を解決するための手段および作用〕
　上記目的を達成するため本発明のファクシミリ装置は、読取り部によって読取られた原稿に対応する画像データを蓄積メモリに一旦蓄積してから送信するファクシミリ装置において、前記読取り部によって読取られた原稿に対応する画像データを一時的に蓄積する画像メモリと、前記蓄積メモリ内のデータ蓄積量が第１の設定値に達したことを検出する第１の検出手段と、前記蓄積メモリ内のデータ残量が第２の設定値に達したことを検出する第２の検出手段と、該画像メモリに蓄積された画像データを所定の符号化形式で符号化して圧縮し、かつ送信画像データを相手局の受信能力に応じて符号化圧縮する符号化手段と、該符号化手段により圧縮された画像データを蓄積する蓄積メモリと、前記読取り部による原稿の読取り途中において前記第１の検出手段で前記蓄積メモリ内のデータ蓄積量が第１の設定値に達したことが検出されると、前記読取り部による原稿読取り動作を停止させ、圧縮前の画像データを保存するとともに前記蓄積メモリに蓄積された画像データを読み出し該画像データを前記符号化手段で相手局の受信能力に応じて符号化圧縮して該画像データの送信を開始し、該送信により前記第２の検出手段で前記蓄積メモリのデータ残量が第２の設定値に達したヒとが検出されると、保存してある前記圧縮前の画像データを前記符号化手段で相手局の受信能力に応じて符号化圧縮して該画像データを送信し、さらに読取り部による原稿読取り動作を再開させるとともに、該再開された前記読取り部により読取られた原稿の画像データを前記画像メモリから読み出して、該画像データを前記蓄積メモリに蓄積することなく、該画像データを前記符号化手段で相手局の受信能力に応じて符号化圧縮して前記蓄積メモリから読み出された画像データの送信に続けて送信する制御手段とを具備することを特徴とする．
　本発明によれば、蓄積メモリ内のデータ蓄積量が第１の設定量（例えば、定格記憶容量に対応する設定量）になった場合には、画像メモリから蓄積メモリヘの画像データの蓄積および読取り部の原稿読取り動作を停止して、先ず、既に蓄積されている画像データを読み出して送信する。そして、前記送信中に蓄積メモリ内のデータ残量が第２の設定量になった時に、読取り部を再起動させ、該読取り部により読取られた原稿の画像データを蓄積メモリに蓄積することなく画像メモリから読み出して蓄積メモリから読み出された画像データに続けて送信する。
〔実施例〕
　以下、本発明に係るファクシミリ装置の実施例を添附図面を参照して詳細に説明する。
　第１図は本発明に係るファクシミリ装置の一実施例を示すブロック図である。
同図において、読取り部１１は、原稿を読取り２値信号化された画像データに変換する。画像メモリ１２は、前記画像データを一時的に蓄積する。符号化部１３は、画像メモリ１２から取出した画像データを、所定の符号化方式で圧縮するとともに、後述する復号化部１５から再び入力した復号データを相手局の受信能力に応じた符号に再び圧縮する。蓄積メモリ１４は、符号データを第２図に示すような形式で蓄積している。なお、第２図に示すページ情報とは、符号化方式、原稿のサイズ、走査線密度等、該当するページに関する情報である。また、符号化データには、画像メモリ１２の画像データが全て符号化されたとき、読取り部１１によって検出された原稿の終端を示すページ終端符号が付加される。復号化部１５は、蓄積メモリ１４内の最初のページから符号データを取出し、その符号データを画像データに復元して上記符号化部１３に出力する。送信部１６は、プロトコル制御部とＭＯＤＥＭとＮＣＵ等から構成され、伝送制御手順を実行する。ＲＯＭ１７は、後述する送信処理手順を示すフローチャートに基づくプログラム、および、蓄積メモリ１４に蓄積されているデータ量に関する第１の設定量および第２の設定量をそれぞれ示すデータを格納している。
　なお上記第１の設定量は、蓄積メモリ１４に蓄積される符号化部１３からの符号データのデータ量を決定するためのものであり、また第２の設定量は、後述するように、蓄積メモリ１４への符号データの蓄積を停止した後、当該蓄積メモリ１４から符号データが読み出されることにり、蓄積メモリ１４に残っている符号データのデータ量を決定するためのものである。
　制御部（以下、ＣＰＵという）１８は、上記各部の制御を行うとともに、符号化部１３から蓄積メモリ１４に蓄積される符号データのデータ量が、上記第１の設定量に達した際に、蓄積メモリ１４への符号データの蓄積および読取り部１１の読取り動作を停止させ、当該蓄積メモリ１４から符号データを読み出して送信させるとともに、蓄積メモリ１４からの符号データの読み出し中に、蓄積メモリ１４内に残っている符号データの量が上記第２の設定量に達した際に、停止している読取り部１１を起動させる。
　次に上記ファクシミリ装置の送信動作を第４図乃至第５図のフローチャートに基づき説明する。
　最初に、複数の原稿に対応する画情報を蓄積メモリ１４に蓄積することができる場合の送信動作について説明する。
　原稿が読取り部１１に引込まれると（ステップ１００）、この引込まれた原稿は、読取り部１１によって２値信号化された画像データに変換され、さらに、この画像データは、画像メモリ１２に一旦蓄積された後、符号化部１３によって符号化されて蓄積メモリ１４に蓄積される（ステップ１０１）。
　この時ＣＰＵ１８は、第１の設定量と蓄積メモリ１４に蓄積されている符号データのデータ量とを比較して、符号データのデータ量が第１の設定量に達したか否かを判断する（ステップ１０２）。
　ここで、第１の設定量は、蓄積メモリ１４の定格記憶容量に設定しているものとする。
　そして、ＣＰＵ１８は、ステップ１０２において、符号データのデータ量が定格記憶容量に達していないときは、ページの終端か否か（すなわち、読取り部１１によって原稿の終端が検出され、さらに画像メモリ１２内の画像データを全て符号化したか否カ））を判断し（ステップ１０３）、ページの途中である場合には上記ステップ１０１にもどりこのステップ以降を実行し、反対にページの終了であると判断した場合は、ページ終端符号を蓄積メモリ１４内の符号データの後に書き込み、更に、次ページが有るか否かを判断する（ステップ１０４）。ここで、次ページが有る場合には、上記ステップ１００にもどりこのステップ以降を実行する。
　一方、上記ステップ１０４において次ページが無い場合、ＣＰＵ１８は、送信部１６に対して送信の手順を開始するよう指示する。送信部１６は、ＣＰＵ１８からの指示により、相手局を呼出し送信の手順を開始し（ステップ１０５）、相手局から送信された受信能力を受信し、この受信能力結果を符号化部１３に通知するとともに、復号化部１５に対して蓄積メモリ１４から符号データを読み出して符号化部１３に送出するよう指示する。
　復号化部１５は、送信部１６からの指示に基づき、蓄積メモリ１４に蓄積された符号データを最初のページ分から順次取出して画像データに復元し、この復元された画像データを順次符号化部１３に送出する（ステップ１０６）。
　符号化部１３は、復号化部１５から入力した画像データを相手局の受信能力に応じた符号に再び圧縮する。この符号データは、送信部１６および回線を介して相手局に送信される（ステップ　１０７）。
　このステップ１０７において、ＣＰＵ１８は、符号化部１３から送信部１６に送出されるページ終端符号を検出することによって、ページの終了か否かを判断し（ステップ１０８）、ページの終了でない場合には、蓄積メモリ１４内のデータを全て復号化したか否かを判断し（ステップ　１０９）、まだ蓄積メモリ１４内にデータがある場合は上記ステップ１０６にもどりこのステップ以降を実行する。
　この時、ＣＰＵ１８は、ステップ１０８において、ページ終端符号を検出してページの終了であると判断した時は、次ページが有るか否かを判断し（ステップ１１０）、次ページが有る場合には、ページ間手順を実行した後（ステップ１１１）、上記ステップ１０６にもどりこのステップ以降を実行する。なお、ステップ１１０において次ページがない場合、ＣＰＵ１８は、送信部１６に対して送信終了手順を実行させる（ステップ１１２）。
　次に、上記ステップ１０２において、蓄積メモリ１４が符号データを蓄積中に、当該蓄積量が、定格記憶容量に達した場合の送信動作について説明する。
　なお、本実施例では、第３図に示すように、ｎページ目のｍライン目の途中で蓄積メモリ１４の蓄積量が、定格記憶容量に達したと仮定する。
　さて、上記ステップ１０２において、蓄積メモリ１４の蓄積量が、第３図に示すようにｎページ目のｍライン目で定格記憶容量に達した場合、ＣＰＵ１８は、読取り部１１に対して原稿読取りの動作を一時停止させるとともに（ステップ　１１３）、上記ｎページ目のｍライン目を含む数ライン分の画像データを画像メモリ１２にそのまま保存させておく（ステップ１１４）。一方、ステップ１１４において、蓄積メモリ１４には、第３図に示すように、ｎページ目のｍライン目の符号の途中まで蓄積される。そのｎページ目の符号データには、ページ終端符号は含まれていない。
　上記ステップ１１４を終了したＣＰＵ１８は、上記ステップ１０５〜１１１の各処理と同様に、送信部１６に対して送信の手順を開始させ、さらに蓄積メモリー４に蓄積されている（ｎ−１）ページ目まで及びｎページ目の（ｍ−１）ライン目までの符号データを、相手局に送信させる。
　そして、ＣＰＵ１８は、ステップ１０９において、復号化部１５によりｎページ目のｍライン目を復号化中に蓄積メモリ１４内にデータが無くなったことを知らされた場合は、符号化部１３に対してデータの読み出しを蓄積メモリ１４から画像メモリ１２に切り替えるよう指示するとともに、読取り動作を停止している読取り部１１に対して読取り動作を再開させる。
　符号化部１３は、蓄積メモリ１４から画像メモリ１２へのデータの読み出し切り替えの指示により、画像メモリ１２から、まずｍライン目から符号化し、このｍライン目の符号データを（ｍ−１）ライン目の符号データに続けて送信部１６に送信する（ステップ１１５）。
　一方、読取り部１１は、ｎページ目の（ｍ＋１）ライン目以降に対応するｎページ目の原稿部分を読取る（ステップ１１６）。
　読取り部１１によって読み取られた原稿に対応する画像データは、画像メモリ１２に一旦蓄積された後、符号化部１３によって符号化されて送信部１６に送信され、さらに回線を介して相手局に送信される（ステヅプ１１７）。
　ＣＰＵ１８は、符号化部１３から送信部１６に送出されるページ終端符号を検出することによって、ページの終了か否かを判断し（ステップ１１８）、終了していなければ、ステップ１１７にもどりこのステップを実行し、ページの終了であれば、次ページが有るか否かを判断し（ステップ１１９）、この判断結果、次ページがない場合には、ステップ１１２と同様に、送信部１６に対して送信終了手順を実行させ、反対に次ページがある場合は、ページ間手順を実行し（ステップ１２０）、さらに原稿を読取り部１１に引込ませる（ステップ１２１）。このステップ１２を終了したＣＰＵ１８は、ステップ１１７に進むことになる。
　上述したように、ｎページ目のｍライン目以降および（ｎ＋１）ページ目以降は、蓄積メモリ１４および復号化部１５を介さずに送信している。
　なお、上述したように、ページの途中で蓄積メモリ１４がフルになることによる処理の複雑化をさけるため、次のようにしても良い。
　すなわち、第５図に示すように、ＣＰＵ１８は、上述したステップ１００〜１０１の処理と同様に、原稿の読取り、画像データの符号化、及び符号データの蓄積メモリ１４への蓄積の処理を行わせる（ステップ２００〜２０１）。
　ＣＰＵ１８は、ページの終了か否かを判断し（ステップ２０２）、終了でない場合にはステップ２０１にもどりこのステップを実行させ、反対にページ終了の場合は、蓄積メモリ１４に１ページ以上のデータ量を蓄積できる蓄積エリアがあるか否かを判断する（ステップ２０３）。
　このステップ２０３において、ＣＰＵ１８は、蓄積エリアが十分ある場合には次ページがあるか否かを判断し（ステップ２０４）、次ページがあれば、上記ステップ２００にもどりこのステヅプ以降を実行し、また反対に１ページ分のデータ量を蓄積するだけの蓄積エリアもない場合には読取り部１１に対して読取り動作を停止させる（ステップ２０５）。
　そして、上記ステップ２０４において次ページがない場合、上記ステップ２０５を終了した場合には、ＣＰＵ１８は、第４図で説明したステップ１０５〜１０７の処理と同様に、送信前手順を行い、相手局の受信能力に応じて符号化して送信する（ステップ２０６〜２０８）。
　次にＣＰＵ１８は、ページ終端符号をもとにページの終了か否かを判断し（ステップ２０９）、ページ終了でない場合には上記ステップ２０７にもどりこのステップ以降を実行し、ページ終端符号を検出してページ終了と判断した場合は、次ページが蓄積メモリ１４内に有るか否かを判断し（ステップ２１０）、次ページがある場合にはページ間手順を実行した後（ステップ２１１）、上記ステップ２０７にもどりこのステップ以降を実行させる。
　ステップ２１０において蓄積メモリ１４内に次ページが無い場合、ＣＰＵ１８は、読取り部１１の読取り動作の停止により、読取りされない原稿があるか否かを判断し（ステップ２１２）、読取りされなかった原稿が残っていない場合には、送信部１６に対して送信終了手順を実行させる（ステップ２１３）。
　一方、ステップ２１２において、読取りされなかった原稿が残っている場、ＣＰＵ１８は、第４図で説明したステップ１１７〜１２１の処理と同様に、残っている全ての原稿に対して読取りを行い送信する（ステップ２１４〜２１８）。
　ここで、ステップ２１８において、次ページが無く全ての原稿に対応する符号データが送信された場合、送信部１６は、送信終了手順を実行して回線を断にする。
　本実施例おいて蓄積メモリ１４内の符号データを送信する際に、一度複号化し、該復元された画像データを再び符号化しているのは、符号化方式、原稿のサイズ、走査線密度等の各要素が、蓄積する際と送信する際で異なる場合に、前記各要素の変換を容易に行えるようにするためである。従って、前記各要素の変換を容易に行えるようにするためのものならば、前述した方法に限らず他の方法であっても良い。また、蓄積メモリ１４内に蓄積した符号データがそのまま送信できる形式の場合には、そのまま送信するようにしても良い。
　上記実施例によれば、蓄積メモリ１４に送信したい原稿に対応する符号データを全部蓄積できなかった場合であっても、従来の如く、蓄積メモリに符号データを蓄積しないように設定変更して、全ての原稿をセットし直して再び送信操作を行ったり、あるいは蓄積されなかったデータに対応する原稿をセットし直して再び送信操作を行ったりする必要はなく、１回の操作で送信させることができる。また、回線を数回断にして、符号データを分割して送信するようなことはなく、一回の回線確立によって全ての符号データを送信することができる。
〔発明の効果〕
　以上説明したよう本発明によれば、一回の送信操作および一回の回線確立で画像データを送信することができるので、作業効率を向上させることができるとともに、送信時間を短縮させることができるという利点がある。
【図面の簡単な説明】
　第１図は本発明に係るファクシミリ装置の一実施例を示すブロック図、第２図および第３図はそれぞれ蓄積メモリに蓄積される符号データを説明するための説明図、第４図および第５図はそれぞれ第１図に示したファクシミリ装置の送信処理の動作を示すフローチャートである。
　１１…読取り部、１２…画像メモリ。１３…符号化部、１４…蓄積メモリ、１５…復号化部、１６…送信部、１７…ＲＯＭ、１８…制御部（ＣＰＵ）。